(57)【要約】【課題】鎮静作用のある物質を含む溶液をナノサイズの粒子径で噴霧できて霧化イオンが空気中に滞在する時間を長くすると共に人が効果的に吸い込みやすく、使用者が鎮静作用のある物質で満たされた空間でリラックスできる。【解決手段】液溜め部１より溶液７を搬送する多孔質材よりなり且つ上端が尖った搬送部２と、液溜め部１から搬送部２の先端に至る経路中の溶液７に電圧を印加するための液印加電極４と、高電圧を印加して溶液７をナノサイズの粒子径に霧化するための５００Ｖ／ｍｍ以上の電界強度を与える電圧印加部５とを有する静電霧化装置６である。溶液７中にÅ３の分子体積を有する鎮静作用のある物質を含んでいる。【選択図】        図１
2010023033.tif 000002
【特許請求の範囲】
【請求項１】
液溜め部より溶液を搬送する多孔質材よりなり且つ上端が尖った搬送部と、液溜め部から搬送部の先端に至る経路中の溶液に電圧を印加するための液印加電極と、高電圧を印加して溶液をナノサイズの粒子径に霧化するための５００Ｖ／ｍｍ以上の電界強度を与える電圧印加部とを有する静電霧化装置であって、溶液中にÅ３の分子体積を有する鎮静作用のある物質を含んでいることを特徴とする静電霧化装置。
【請求項２】
接地電極を更に備えていることを特徴とする請求項１記載の静電霧化装置。
【請求項３】
上記ナノサイズの粒子径が２０ｎｍをピークにもつ粒径の分布をしていることを特徴とする請求項１又は請求項２記載の静電霧化装置。
【請求項４】
多孔質材よりなる搬送部の先端に上端が尖った一つの針状霧化部を設けて成ることを特徴とする請求項１乃至請求項３のいずれかに記載の静電霧化装置。
【請求項５】
鎮静作用のある物質が、セドロール又はα−ピネン又はヘキセノール又は酢酸リナリルであることを特徴とする請求項１乃至請求項４のいずれかに記載の静電霧化装置。
【請求項６】
液溜め部内の溶液を加熱させるための液加熱部を設けて成ることを特徴とする請求項１乃至請求項５のいずれかに記載の静電霧化装置。
【請求項７】
液溜め部に溶液の温度を検出する温度検出器を配置して温度検出器の検出温度により液加熱部を通電制御させることを特徴とする請求項６記載の静電霧化装置。
【請求項８】
溶液中に含まれた鎮静作用のある物質が静電霧化で発生した霧化イオンのミストから飛散しやすい温度で且つ当該鎮静作用のある物質が熱により変形しない温度となるように液溜め部内の温度を加熱させるための液加熱部を設けて成ることを特徴とする請求項７記載の静電霧化装置。
【請求項９】
上記鎮静作用のある物質を含む溶液を静電霧化する静電霧化装置に、上記鎮静作用のある物質を含む溶液とは異なる別の溶液を霧化する別の霧化手段を備えていることを特徴とする請求項１乃至請求項８のいずれかに記載の静電霧化装置。
【請求項１０】
人の入眠状態を検知する入眠状態検知手段を設け、該入眠状態検知手段による入眠状態の検知により鎮静作用のある物質を含む溶液の静電霧化と、別の溶液の霧化とを制御部により切り換えることを特徴とする請求項９記載の静電霧化装置。
【発明の詳細な説明】
【技術分野】
【０００１】
本発明は、静電霧化装置に関するものである。
【背景技術】
【０００２】
鎮静作用のある物質は、人を鎮静、リラックスさせる成分として知られているが、この鎮静作用のある物質を含む液を微細化させて噴霧させる手段は従来なかった。
【０００３】
例えば、従来、香料などをスプレー機構で霧状にして噴霧させる装置として特許文献１に示される香料発散装置が知られている。ところが、この特許文献１に示された香料発散装置はスプレー機構で香料を噴霧するものであり、このようなスプレー機構で香料を噴霧する方式だと粒子径が数μｍオーダーであり、噴霧させても空間中に滞在する時間が短く、使用者が鎮静作用のある物質で満たされた空間でリラックスできる時間も少なくなり、また、噴霧粒径が大きいため、人が吸い込まずに床面に落下または部屋側面に吸着する量も多く無駄が多いという問題があった。
【先行技術文献】
【特許文献】
【０００４】
【特許文献１】特開平８−３３６５７９号公報
【発明の概要】
【発明が解決しようとする課題】
【０００５】
本発明は上記の従来の問題点に鑑みて発明したものであって、鎮静作用のある物質を含む溶液をナノサイズの粒子径で噴霧できて霧化イオンが空気中に滞在する時間を長くすると共に人が効果的に吸い込みやすく、使用者が鎮静作用のある物質で満たされた空間でリラックスできる静電霧化装置を提供することを課題とするものである。
【課題を解決するための手段】
【０００６】
上記課題を解決するために本発明に係る静電霧化装置は、液溜め部１より溶液７を搬送する多孔質材よりなり且つ上端が尖った搬送部２と、液溜め部１から搬送部２の先端に至る経路中の溶液７に電圧を印加するための液印加電極４と、高電圧を印加して溶液７をナノサイズの粒子径に霧化するための５００Ｖ／ｍｍ以上の電界強度を与える電圧印加部５とを有する静電霧化装置６であって、溶液７中にÅ３の分子体積を有する鎮静作用のある物質を含んでいることを特徴とするものである。ここで、接地電極を更に備えていることが好ましい。また、上記ナノサイズの粒子径が２０ｎｍをピークにもつ粒径の分布をしていることも好ましい。また、多孔質材よりなる搬送部の先端に上端が尖った一つの針状霧化部を設けることが好ましい。更に、鎮静作用のある物質が、セドロール又はα−ピネン又はヘキセノール又は酢酸リナリルであることが好ましい。
【０００７】
本発明においては上記の構成により、５００Ｖ／ｍｍ以上の電界強度を与えて、Å３の分子体積を有する鎮静作用のある物質を含む溶液をナノサイズの粒子径に静電霧化して空間散布をすることができ、このようにÅ３の分子体積を有する鎮静作用のある物質を含む溶液をナノサイズの粒子径に静電霧化して空間散布できるので、鎮静作用のある物質が長時間空間に留まり、また、噴霧粒径がナノサイズの粒子径であるので人が吸い込まずに床面に落下又は部屋の壁面に吸着する量は少なく、その空間にいる人に対して鎮静作用のある物質のもつ鎮静作用効果を長く作用させることができ、これにより使用者が鎮静作用のある物質で満たされた空間で長時間効果的にリラックスできるものである。
【０００８】
また、液溜め部１内の溶液７を加熱させるための液加熱部８を設けることが好ましい。
【０００９】
このような構成とすることで、鎮静作用のある物質を含む溶液７を加熱して該溶液７が搬送部２を構成する部材に浸透しやすくなって効果的に搬送ができ、また、静電霧化された霧化イオンからも鎮静作用のある物質が飛散し易くなるものである。
【００１０】
また、液溜め部１に溶液７の温度を検出する温度検出器９を配置して温度検出器９の検出温度により液加熱部８を通電制御させることが好ましい。更に、溶液７中に含まれた鎮静作用のある物質が静電霧化で発生した霧化イオンのミストから飛散しやすい温度で且つ当該鎮静作用のある物質が熱により変形しない温度となるように液溜め部１内の温度を加熱させるための液加熱部８を設けてもよい。
【００１１】
このような構成とすることで、鎮静作用のある物質が飛散しやすい温度に制御でき、過熱し過ぎによる剤の変性の心配がないものである。
【００１２】
また、上記鎮静作用のある物質を含む溶液７を静電霧化する静電霧化装置６に、上記鎮静作用のある物質を含む溶液７とは異なる別の溶液１０を霧化する別の霧化手段１１を備えていることが好ましい。
【００１３】
このような構成とすることで、鎮静作用のある物質を含む溶液をナノサイズの粒子径に静電霧化して空間散布することによる長時間にわたるリラックス効果と、別の溶液を霧化することによる別の作用、例えば別の溶液が顔や肌の保湿を行う作用を持つものであれば保湿作用とを目的に応じて選択して使用することができる。
【００１４】
また、人の入眠状態を検知する入眠状態検知手段１２を設け、該入眠状態検知手段１２による人の入眠状態の検知に基いて鎮静作用のある物質を含む溶液７の静電霧化と、別の溶液１０の霧化との切り換え制御を行うことが好ましい。
【００１５】
このような構成とすることで、入眠状態検知手段１２で入眠を検知するまでは鎮静作用のある物質を含む溶液７をナノサイズの粒子径に静電霧化して空間散布することによる長時間にわたるリラックス効果により効果的に入眠に導入し、入眠状態検知手段１２で入眠を検知した後は、別の溶液１０を別の霧化手段１１で霧化することで、例えば、入眠中に顔や肌の保湿を行うことができるものである。
【発明の効果】
【００１６】
本発明は、上記のように、５００Ｖ／ｍｍ以上の電界強度を与えて、Å３の分子体積を有する鎮静作用のある物質を含む溶液をナノサイズの粒子径に静電霧化して空間散布をすることができるので、Å３の分子体積を有する鎮静作用のある物質が長時間空間に留まることができ、その空間にいる人に対して鎮静作用のある物質のもつ生理作用効果を長く作用させることができると共に人が効果的に鎮静作用のある物質を吸い込みやすく、この結果使用者が鎮静作用のある物質で満たされた空間で長時間効果的にリラックスできるものである。
【図面の簡単な説明】
【００１７】
【図１】本発明の静電霧化装置の基本構成を示す概略斜視図である。
【図２】本発明の静電霧化装置を組込んだ快適入眠空間創出機の概略構成図である。
【図３】同上の空気清浄部の詳細を図示した快適入眠空間創出機の概略構成図である。
【図４】本発明の静電霧化装置の一実施形態の概略構成図である。
【図５】同上の静電霧化装置の他の実施形態の概略構成図である。
【図６】同上の静電霧化装置の更に他の実施形態の概略構成図である。
【図７】同上の静電霧化装置の更に他の実施形態の概略構成図である。
【発明を実施するための形態】
【００１８】
以下、本発明を添付図面に示す実施形態に基いて説明する。
【００１９】
本発明の静電霧化装置６は図１の概略斜視図に示すように、液溜め部１と、下端が液溜め部１内に入れられた溶液７に浸される複数本の多孔質材からなる棒状の搬送部２と、これら搬送部２の保持及び溶液７に対する電圧の印加のための液印加電極４と、絶縁体からなる保持部２０によって保持されていると共に上記複数本の棒状をした搬送部２の先端部と対向する対向部を備えている対向電極３と、上記液印加電極４と対向電極３との間に高電圧を印加する電圧印加部５とからなるもので、対向電極３と液印加電極４は共にカーボンのような導電材を混入した合成樹脂やＳＵＳのような金属で形成してある。
【００２０】
搬送部２は多孔質セラミック、多孔質給水帯（多孔質金属合金、フェルト材）等の多孔質材で棒状や帯状に形成してある。搬送部２の上端は針状に尖った針状霧化部２１となっている。この棒状の搬送部２は、複数本、図示例では６本の棒状の搬送部２が液印加電極４に取付けられている。これらの複数本の棒状の搬送部２は液印加電極４の中央を中心とする同心円上に等間隔で配置されていて、各搬送部２の上部が液印加電極４よりも上方に突出し、下部が液印加電極４から下方に突出して上記液溜め部１内に入れられた溶液７と接触するようになっている。
【００２１】
対向電極３は、中央に開口部２２を有すると共に、この開口部２２の縁は上方から見た場合前記複数本の搬送部２の上端の各針状霧化部２１を中心とする同一径の複数の円弧Ｒを滑らかにつないだ形状となっている。対向電極３を接地し、液印加電極４に電圧印加部５を接続して高電圧を印加すると共に、多孔質材で形成されている搬送部２が毛細管現象により液溜め部１に入れてある溶液７を吸い上げている時、搬送部２の上端の針状霧化部２１が液印加電極４側の実質的な電極として機能すると同時に、対向電極３の上記円弧Ｒが実質的な電極として機能するものである。電圧印加部５としては、５００Ｖ／ｍｍ以上、例えば７００〜１２００Ｖ／ｍｍの電界強度を与えることができるものが好ましい。
【００２２】
ここで本発明においては、液溜め部１内に溜める霧化対象となる溶液７が鎮静作用のある物質を含む溶液７であり、この鎮静作用のある物質を含む溶液７を液溜め部１に入れると、鎮静作用のある物質を含む溶液は毛細管現象により搬送部２先端に引き上げられる。そして電圧印加部５により搬送部２と対向電極３との間に高電圧を印加することで、高電圧により搬送部２先端の溶液７が帯電して霧化してナノサイズ（ｎｍサイズ）のイオンのミストが発生して空中へと飛散する。このように溶液７中に鎮静作用のある物質を含んでいるので、鎮静作用のある物質がナノサイズで電荷を持った帯電状態で放出される。このナノサイズの霧化イオンは空気中に約１０分程度満遍なく浮遊することからスプレー式で噴霧するよりも長時間空中に留まることになる（スプレー式で噴霧させると粒径が数μｍで空間浮遊時間が短い）。
【００２３】
しかして、鎮静作用のある物質を静電霧化により空間に散布し、その散布成分が長時間空間に留まることでその空間にいる人に対して鎮静作用のある物質のもつ鎮静が長く作用することになる。したがって、例えば一使用例としては寝室空間に寝る前に霧化して散布しておくと、使用者が寝るころには鎮静作用のある物質で満たされた空間でリラックスした状態で安らかに眠り状態に移行できるものである。また、この装置に自動運転モードなどを付加させた構成にすると、寝る所定時間前に上記のように鎮静作用のある物質を室内に霧化させて散布しておくことで、寝具やベットのシーツ類に鎮静作用のある物質があらかじめ付着しており、布団やベッドに入った段階で鎮静効果が現れ、人体の睡眠時の脈拍が低下して快適な眠りに誘うことも可能となる。
【００２４】
鎮静作用のある物質は上記のように鎮静効果を有する物質のことであり、セドロール、α−ピネン、ヘキセノール、酢酸リナリル等を挙げることができるが、上記例示したもの以外であっても鎮静効果を有する物質であれば、これらのものも用いることができる。
【００２５】
ここで、セドロール（Ｃ１５Ｈ２６Ｏ）は、植物からでるフィットンチッドと呼ばれる成分内に含まれるセスキテルペンアルコールの一つである。水に不溶でエタノール等の有機溶剤には可溶である。また、分子体積は約３００Å３である。
【００２６】
また、α−ピネン（Ｃ１０Ｈ１６）は、フィットンチッドと呼ばれる成分内に含まれるモノテルペン化合物という炭化水素によって形成してあり、森林内で樹木から発散される物質で針葉油その他の多くの精油中に広く分布している。水に不溶でエタノール等の有機溶剤には可溶である。また、分子体積は約１５６Å３である。
【００２７】
また、ヘキセノール（Ｃ６Ｈ１４Ｏ）は、青葉アルコール（ｃｉｓ−ヘキセノール、ｔｒａｎｓ−２ヘキセノール）とも呼ばれる緑の香りである。多くの生葉、野菜、果実に存在している。水に不溶でエタノール等の有機溶剤には可溶である。また、分子体積は約１１８Å３である。
【００２８】
また、酢酸リナリル（Ｃ１２Ｈ２０Ｏ２）は、エステル類であり、ラベンダーのエッセンシャルオイルに含まれ、中枢神経の伝達を抑制するとされているため鎮静効果がある。水に不溶でエタノール等の有機溶剤には可溶である。また、分子体積は約２１５Å３である。
【００２９】
そして、本発明においては、上記鎮静作用のある物質を含む溶液７を静電霧化することで、静電霧化イオンの粒子径は約２０ｎｍをピークにもつ粒径の分布をしており、また、上記のように、鎮静作用のある物質の分子体積は上記のようにÅ３オーダーであり、鎮静作用のある物質は静電霧化イオン内に存在する大きさである。
【００３０】
ここで、鎮静作用を有する物質としてセドロール、酢酸リナリル等は交感神経活動を抑制して、副交感神経活動を優位にさせる生理作用効果を有して鎮静作用を行うものである。
【００３１】
図２、図３には図１に示す鎮静作用のある物質を含む溶液７等を霧化させ、就寝前の入眠空間で使用する静電霧化装置６を備えた快適入眠空間創出機１３の一例を示すものである。
【００３２】
快適入眠空間創出機１３は本体１４に上記した静電霧化装置６と空気清浄部１５とを備えたものであって、空気清浄部１５により清浄にした空気が静電霧化装置６を経由して本体１４の外の空間に放出されるようにしたものである。図３には図２における空気清浄部１５の一例の構成を示したもので、空気清浄部１５はプレフィルタ１６、除塵・脱臭フィルタ部１７、モータファン部１８を備えたもので、本体１４に設けた一端が吸い込み口１９ａ、他端が放出口１９ｂとなった風路の上流側から順に空気清浄部１５のプレフィルタ１６、除塵・脱臭フィルタ部１７、モータファン部１８、静電霧化装置６が配置してあり、図３の矢印に示すように風路の一端の吸い込み口１９ａから室内空気を吸い込んで、空気清浄部１５で空気を清浄化し、静電霧化装置６を経由して風路の他端の放出口１９ｂから室内に清浄空気を放出するようになっている。
【００３３】
上記空気清浄部１５においてはハウスダスト等のアレルゲン物質を空気通過により除去できるような機能を備えているのが好ましく、空気清浄部１５により清浄化された空気が、鎮静作用のある物質を含む溶液を静電霧化するための静電霧化装置６を経由して本体１４の外に放出されることで、静電霧化装置６の電圧が印加されている部分に室内の埃等が付着するのを防止できるものである。そして、快適入眠空間創出機１３においては、静電霧化装置６の電気力線の力と、空気清浄部１５で清浄化された空気がモータファン部１８によって吹き出される風の吹き出し力とで、室内に鎮静作用のある物質を含む溶液の霧化イオンを放出して均等に飛散させることができるものである。
【００３４】
ところで、セドロール、α−ピネン、ヘキセノール、酢酸リナリル等の鎮静作用のある物質は鎮静効果を有するものであるから、人をリラックスさせる効果、ストレスを軽減する効果があると言われているが、上記に述べたように、水に不溶で有機溶剤には可溶である。そこで、霧化対象となる溶液は水と有機溶剤と鎮静作用のある物質とで構成された溶液であり、これにより鎮静作用のある物質が程好く溶液中に混じり合い、霧化させる溶液としては最適な組み合わせとなる。上記有機溶剤としては例えばエタノール等を挙げることができる。
【００３５】
また、レモングラスは原料が稲科の細長い葉の植物のエッセンシャルオイルである。そこで、本発明においては、上記のように鎮静作用のある物質による睡眠前の鎮静効果、リラックス効果に加えて、夏場の夜等、就寝時に人に寄ってくる蚊の忌避効果を目的として、鎮静作用のある物質以外に例えばレモングラス等の、蚊の忌避効果のあるアロマオイル等の剤を上記鎮静作用のある物質を含む溶液内に混入して噴霧することで、就眠前、又は就寝中に蚊の飛来による就寝の妨げを防止できるものであり、これにより鎮静作用のある物質によりまどろみ、レモングラス等のアロマ噴霧により蚊などをよせつけないことによって快適な眠りにつながるものであり、また、天日干しした布団はよい香りがし、ゆっくり眠れるという人も多い。このような太陽の香りは、布団につく汗や脂肪の成分が太陽の光りや熱で分解されて発生するアルコールや脂肪酸の匂いだといわれている。そこで、応用例としてこのような匂い成分を本発明の静電霧化装置で発生させることで快適睡眠環境を作ることができる。この場合、静電霧化装置で上記匂い成分を鎮静作用のある物質と併用して静電霧化するとよい。
【００３６】
次に、本発明の他の実施形態を図４に基いて説明する。
【００３７】
図４には静電霧化装置６の全体構成図が示してある。本実施形態の静電霧化装置６の基本的な構成は前述の実施形態と同様であるが、本実施形態においては、液溜め部１内の溶液７を加熱させるための液加熱部８を配置した構成に特徴がある。他の構成については前述の図１に示す実施形態と同様であるので重複する説明は省略し、以下異なる点につき説明する。
【００３８】
鎮静作用のある物質を含む溶液７を入れる液溜め部１の周りには液溜め部１内の溶液７を加熱するための液加熱部８が設けてあり、加熱部用電源３０に通電することで液加熱部８により液溜め部１内の溶液７を加熱するようになっている。液加熱部８としては例えばヒータであり、ヒータの設置場所は温められた溶液７が効率よく搬送部２にいくように搬送部２の直下、つまり液溜め部１の下面の搬送部２の直下位置に配置するのが好ましい。そして、セドロール、α−ピネン、ヘキセノール、酢酸リナリル等の鎮静作用のある物質は常温で飛散し難いが、本実施形態のように液加熱部８で鎮静作用のある物質を含む溶液７を加熱することで、鎮静作用のある物質を含む溶液７が搬送部２を構成する部材に浸透しやすくなって効果的に搬送ができるようになり、また、加熱することで、静電霧化された霧化イオンからも鎮静作用のある物質が飛散し易くなるものである。もちろん図示を省略しているが、図２、図３のような快適入眠空間創出機１３に設ける静電霧化装置６として本実施形態の静電霧化装置６を用いてもよいものである。
【００３９】
ここで、本実施形態において、図４に示すように液溜め部１内に入れた溶液７の残量を検出するための溶液検出センサ３２を設けることで、溶液検出センサ３２で溶液残量が所定量（つまり所定水位）以下となったことを検出するとこの溶液残量の検出信号が制御部３１に入力され、制御部３１からの制御信号により加熱部用電源３０をオフにして液加熱部８に通電しないようにして無駄な電気を使わないようにできる。ここで、溶液検出センサ３２は溶液残量高さが搬送部２の下面を下回った位置を検出するのが好ましく、この場合には加熱部用電源３０をオフにするのであるが、この場合更に、制御部３１からの制御信号で霧化用の電圧印加部５をオフにして霧化を停止させることもできる。
【００４０】
更に図４に示すように、液溜め部１には更に液溜め部１内の溶液７の温度を検出するためのサーミスターのような温度検出器９を配置してある。制御部３１は霧化用の電圧印加部５の制御を行うと共に温度検出器９からの溶液７の温度の検出信号に基いて液加熱部８への通電制御を行っている。温度検出器９を設置する目的は剤を入れた溶液７は熱による剤の変性の問題があり、溶液７を適切な温度に保つ必要がある。例えば、鎮静作用のある物質を含む溶液７は３０〜４０℃の範囲の温度設定が望ましい。そこで、本実施形態のように静電霧化装置６に液溜め部１内の溶液７の温度を検出する温度検出器９を設けることで、温度検出器９からの信号により制御部３１により液加熱部８への通電を制御して液溜め部１内の溶液７の温度を鎮静作用のある物質が飛散し易い温度に制御することができる。また、液加熱部８の加熱用電源３０が何らかのトラブルで制御不能と成った場合でも溶液７が設定温度外になった場合に制御部３１からの制御信号により霧化用の電圧印加部５をオフにすることもでき、設定温度以上の高温の霧化イオンが室内に飛散しないようにできるものである。
【００４１】
次に、本発明の更に他の実施形態を図５に基いて説明する。
【００４２】
本実施形態は前述の図１や図４に示した鎮静作用のある物質を含む溶液７を静電霧化する静電霧化装置６に、更に上記鎮静作用のある物質を含む溶液７とは異なる別の溶液１０を霧化する別の霧化手段１１を備えていることに特徴がある。
【００４３】
すなわち、図５に示すように、液溜め部１、搬送部２、液印加電極４、対向電極３、電圧印加部５により鎮静作用のある物質を含む溶液７を静電霧化する鎮静作用のある物質を含む溶液を霧化する霧化部３５と、鎮静作用のある物質を含む溶液７とは異なる別の溶液１０を加湿する加湿ブロック３６、加湿ブロック３６で発生させた蒸気を捕獲するための蒸気捕獲部３７、蒸気捕獲部３７で捕獲して蓄積された液分を搬送する搬送部２’、対向電極３’、液印加電極４’、電圧印加部５’により別の溶液１０を霧化する肌保湿部３８（この肌保湿部３８が別の溶液１０を霧化する別の霧化手段１１を構成している）と、人の入眠状態を検知する入眠状態検知手段１２と、制御部３１とで本実施形態の静電霧化装置６が構成してある。鎮静作用のある物質を含む溶液を霧化する霧化部３５は前述の図１、図４に示す静電霧化装置６と同じ構成となっていて鎮静作用のある物質を静電霧化するようになっており、その具体的構成、作用の説明は既に述べた通りであるから省略する。別の霧化手段１１を構成する肌保湿部３８は、加湿ブロック３６において鎮静作用のある物質を含む溶液７とは異なる別の溶液１０、例えば水を加湿して加湿蒸気を発生させ、この蒸気の一部がフェルト等で形成した蒸気捕獲部３７で捕えられ、蒸気捕獲部３７で捕えられた水分が搬送部２’に送られ、電圧印加部５’により搬送部２’と対向電極３’との間に高電圧を印加することで、高電圧により搬送部２’先端の別の溶液１０が帯電して静電霧化することで、ナノサイズ（ｎｍサイズ）のイオンのミストが発生して空中へと飛散するようになっている。上記した鎮静作用のある物質を含む溶液を霧化する霧化部３５による鎮静作用のある物質の静電霧化、肌保湿部３８による水の静電霧化は、それぞれ人が寝室空間等で使用し、鎮静効果作用、肌保湿作用の目的で使用される。
【００４４】
例えば、入眠状態検知手段１２で人の就眠判定を行い、就眠前は鎮静作用のある物質を含む溶液を霧化する霧化部３５の電圧印加部５をオンにして鎮静作用のある物質を含む溶液を霧化する霧化部３５を運転して鎮静作用のある物質の静電霧化を行って鎮静作用のある物質を静電霧化により空間に散布し、鎮静作用のある物質の生理作用効果（鎮静効果）で人をリラックス状態に導いて入眠へと導き、入眠状態検知手段１２で人の就眠を検知すると、鎮静作用のある物質を含む溶液を霧化する霧化部３５の電圧印加部５をオフにして鎮静作用のある物質の静電霧化を停止し、肌保湿部３８の電圧印加部５’をオンにして肌保湿部３８を運転して加湿蒸気を発生させて空中へと飛散させると共に発生させた加湿蒸気の一部の水分を静電霧化してナノサイズのミストを発生させて空中へと飛散させ、これにより睡眠中の顔や肌の保湿を行うものである。つまり、入眠状態検知手段１２で人の就眠を検知するまでは入眠促進を目的とした鎮静作用のある物質を含む溶液を霧化する霧化部３５の運転モード、入眠状態検知手段１２で人の就眠を検知した後は顔や肌の保湿をおこなう肌保湿部３８での運転モードに制御部３１により切り替え制御するものであり、これにより、リラックスした入眠導入作用から睡眠時の肌の保湿作用へとスムーズに移行することができて、快適な入眠導入空間から快適な睡眠空間を実現することができる。
【００４５】
ここで、図５においては複数個の圧力センサ１２ａで入眠状態検知手段１２を構成した例を示している。すなわち、ユーザが入眠期には移動しないことで圧力センサ１２ａの圧力分布状態と圧保持時間により睡眠中か否かを判定する（例えば、入眠状態検知手段１２の約１５分以上同じ信号出力状態で睡眠と判定する）ものであり、使用例としては複数個の圧力センサ１２ａよりなる入眠状態検知手段１２を敷き布団内に入れて使用する。
【００４６】
ところで、図５に示す実施形態では、鎮静作用のある物質を含む溶液７とは異なる別の溶液１０を霧化する別の霧化手段１１を、鎮静作用のある物質を含む溶液７とは異なる別の溶液１０を加湿ブロック３６、蒸気捕獲部３７、搬送部２’、対向電極３’、液印加電極４’、電圧印加部５’により構成した例を示したが、鎮静作用のある物質を含む溶液７とは異なる別の溶液１０を霧化する別の霧化手段１１を、図６のように、鎮静作用のある物質を含む溶液７とは異なる別の溶液１０を入れる液溜め部１’、液溜め部１’に溜めた別の溶液１０を搬送するための搬送部２’、対向電極３’、液印加電極４’、電圧印加部５’によりなる消臭脱臭部３９で構成してもよい。この図６に示す実施形態においては、入眠状態検知手段１２で人の就眠状態を検出して就眠したか否かの判定を行い、就眠前は鎮静作用のある物質を含む溶液を霧化する霧化部３５を運転して鎮静作用のある物質の静電霧化を行って空間に鎮静作用のある物質を静電霧化により空間に散布し、鎮静作用のある物質の生理作用効果（鎮静効果）で人をリラックス状態に導いて入眠へと導き、入眠状態検知手段１２で人の就眠を検知すると、鎮静作用のある物質を含む溶液を霧化する霧化部３５の電圧印加部５をオフにして鎮静作用のある物質の静電霧化を停止し、鎮静作用のある物質を含む溶液７とは異なる別の溶液１０である水を静電霧化させる。このように水を静電霧化させると、ナノサイズのミストが生じるが、このようにして発生したナノサイズのミストは活性種（ヒドロキシラジカル、スパーオキサイド等）を持ったナノサイズのミストであるため、これを室内に放出することで、室内の空気の脱臭のみならず、室内壁面等に付着した臭いを除去することができる。特に、人は寝ている間に２００〜５００ｃｃもの汗をかくと言われており、消臭脱臭部３９から発生させるナノサイズのミストに含まれる活性種の働きで汗臭い臭い等も低減できる。
【００４７】
下記に臭気とナノサイズのミストに含まれた活性種の脱臭反応式を示す。
【００４８】
アンモニア          2NH3+6・OH→N2+6H2O
アセトアルデヒド    CH3CHO+6・OH+O2→2CO2+5H2O
酢酸                CH3COOH+4・OH+O2→2CO2+4H2O
メタンガス          CH４+4・OH→CO2+H2O
一酸化炭素          CO+2・OH→CO2+H2O
一酸化窒素          2NO+4・OH→N2+2O2+2H2O
ホルムアルデヒド    HCHO+4・OH→CO2+3H2O
なお、上記脱臭反応式において、・OHはヒドロキシラジカルを示す。
【００４９】
本実施形態では集電型赤外線センサ１２ｂを備えた入眠状態検知手段１２の例が示してある。つまり、図６に示す入眠状態検知手段１２は、ユーザが入眠期には動作しないことで集電型赤外線センサ１２ｂの信号により睡眠中か否かを判定する（例えば、集電型赤外線センサ１２ｂによる人検知信号入力後、約１５分以上信号入力なしで睡眠中と判断する）ものであり、使用例としては集電型赤外線センサ１２ｂよりなる入眠状態検知手段１２を人体に向けて設置する。
【００５０】
もちろん、図５の実施形態において複数個の圧力センサ１２ａで構成した入眠状態検知手段１２に代えて、集電型赤外線センサ１２ｂを備えた入眠状態検知手段１２を設けてもよく、また、図６の実施形態において、集電型赤外線センサ１２ｂを備えた入眠状態検知手段１２に代えて複数個の圧力センサ１２ａで構成した入眠状態検知手段１２を設けてもよい。
【００５１】
更に、入眠状態検知手段１２としてはタイマーで構成されユーザが入眠推定時間を入力できる構成でもよく、また、寝姿を計測する手段でもよく、更に、鼾等の計測で、眠りについたことを判定するものでもよい。
【００５２】
また、図示を省略しているが、図５や図６の実施形態に示す静電霧化装置６も、図２、図３のような快適入眠空間創出機１３に設ける静電霧化装置６として用いてもよいものである。
【００５３】
次に、本発明の更に他の実施形態を図７に基いて説明する。
【００５４】
本実施形態は静電霧化装置６が、鎮静作用のある物質を含む溶液を霧化する霧化部３５と、鎮静作用のある物質を含む溶液７とは異なる別の溶液１０を霧化する別の霧化手段１１とを備えたものにおいて、鎮静作用のある物質を含む溶液７とは異なる別の溶液１０を霧化する別の霧化手段１１として、図７のように、別の溶液１０を入れる液溜め部１’、液溜め部１’に溜めた別の溶液１０を搬送するための搬送部２’、対向電極３’、液印加電極４’、電圧印加部５’によりなる目覚め用霧化部４０で構成してあり、更に、入眠状態検知手段１２と、光センサ４２とを備えて構成してある。本実施形態において鎮静作用のある物質を含む溶液７と異なる別の溶液１０としては目覚め作用を有する例えばアロマオイルが用いられる。
【００５５】
そして、入眠状態検知手段１２で就眠であるか否かの判定を行ない、入眠状態検知手段１２で人の就眠状態を検出して就眠したか否かの判定を行い、就眠前は鎮静作用のある物質を含む溶液を霧化する霧化部３５を運転して鎮静作用のある物質の静電霧化を行って空間に鎮静作用のある物質を静電霧化により空間に散布し、鎮静作用のある物質の生理作用効果（鎮静効果）で人をリラックス状態に導き入眠への導き、入眠状態検知手段１２で人の就眠を検知すると、鎮静作用のある物質を含む溶液を霧化する霧化部３５の電圧印加部５をオフにして鎮静作用のある物質の静電霧化を停止する。光センサ４２は朝方になって周囲が明るくなると朝の信号を制御部３１に送り、制御部３１からの制御信号により目覚め用霧化部４０の電圧印加部５’をオンにしてアロマオイルを静電霧化する。アロマオイルとしては香りの良いものを選定したり、覚醒効果のあるペパーミント等を選ぶ等ユーザが自由に選択できる。これにより朝方に好みの香りで目覚めることができるものである。
【００５６】
また、図示を省略しているが、図７の実施形態に示す静電霧化装置６も、図２、図３のような快適入眠空間創出機１３に設ける静電霧化装置６として用いてもよいものである。
【符号の説明】
【００５７】
１  液溜め部
２  搬送部
３  対向電極
４  液印加電極
５  電圧印加部
６  静電霧化装置
７  溶液
８  液加熱部
９  温度検出器
１０  別の溶液
１１  別の霧化手段
１２  入眠状態検知手段
【図１】
2010023033.tif 000003
【図２】
2010023033.tif 000004
【図３】
2010023033.tif 000005
【図４】
2010023033.tif 000006
【図５】
2010023033.tif 000007
【図６】
2010023033.tif 000008
【図７】
2010023033.tif 000009